(57)【特許請求の範囲】
【請求項１】
互いに対向する足場用建枠の横材間に架け渡される足場板において、足場板本体の前後各端部に、足場用建枠の横材を挟んでその両側に架け渡される両足場板の対向端部間の隙間を塞ぐ複数の隙間ブロックが左右横方向に連なるように突設され、その少なくとも１つの隙間ブロックに、前記横材の上側部に対し係脱自在なフック部材が取り付けられると共に、前記横材の下側部に対し係脱自在な浮き上がり防止用のロック部材が左右何れか一端の隙間ブロック側に設けられ、足場板本体の前後各端部に左右横方向に連なるように突設される複数の隙間ブロックは、左右両端にある第１隙間ブロックと、その中間にある第２及び第３隙間ブロックとからなり、各隙間ブロックは、足場用建枠の横材より上方に配置されるブロック本体部を有すると共に、第１隙間ブロックはブロック本体部の下部に連設された横材に係合可能な支持部片を有し、第２隙間ブロックはブロック本体部の下方にフック部材突入用空間部を形成し、第３隙間ブロックはブロック本体部の下方にフック部材取付用空間部を有する足場板。
【請求項２】
足場板本体の一端部側に突設された第２隙間ブロックと前後方向に対向する足場板本体の他端部側の位置には第３隙間ブロックが突設され、足場板本体の一端部側の第３隙間ブロックと対向する足場板本体の他端部側の位置には第２隙間ブロックが突設されている請求項１に記載の足場板。
【請求項３】
足場板本体の一端部側に設けられるロック部材と、足場板本体の他端部側に設けられるロック部材とは、足場板本体の平面視においてその対角線上に位置にある請求項１又は２に記載の足場板。
【発明の詳細な説明】
【０００１】
【発明の属する技術分野】
本発明は、建設作業現場で枠組みされる仮設枠組足場において、一定間隔おきに立設された互いに対向する足場用建枠の横材間に架け渡される足場板に関するものである。
【０００２】
【従来の技術】
図１３は、建設作業現場で枠組みされた仮設枠組足場の一部を示したもので、各足場用建枠１は、一対の縦材３，３と、両縦材３，３をつなぐ横材２，２と、補強材６，６とによって形成され、上下複数段に継ぎ足される。足場板５は、足場板本体６とこれの両端部に夫々突設された係止フック７，７とからなる従来構造のもので、一定間隔おきに立設された対向する足場用建枠１，１の横材２，２間に２枚１組で並列状態に架け渡されて、作業通路を形成する。
【０００３】
【発明が解決しようとする課題】
従来の足場板５は、上記のように足場板本体６の両端部に夫々係止フック７，７を突設した構造であるから、この足場板５を、対向する足場用建枠１，１の横材２，２間に架け渡した時に、各足場用建枠１の横材２を挟んでその両側にある足場板５，５の対向端部間に隙間Ｓが生じる。このような隙間Ｓが作業通路に一定間隔おきに存在すると、ボルト・ナット等の金具を誤って隙間Ｓから落としてしまった時、その金具が下方の同様な作業通路で作業中の作業者に当たって怪我をさせるおそれがある。また、作業通路に隙間Ｓがあると、作業者が隙間Ｓに足を引っ掛け、転んでしまうおそれがあるなど、非常に危険である。
【０００４】
このような問題を回避するために、上記隙間Ｓに隙間カバーを嵌め込むようにすることが考えられるが、足場の組み立て時にその隙間Ｓごとに一々カバーを嵌め込むには非常に手間がかかり、余分な作業を強いられることになる。そこで、本発明は、足場板本体の端部に上記隙間Ｓを塞ぐ隙間板を一体的に取り付けて、足場板架け渡し作業を行いながら、簡単な操作で上記隙間Ｓを塞ぐことのできる足場板を提供することを目的とする。
【０００５】
【課題を解決するための手段】
請求項１に係る発明は、互いに対向する足場用建枠１，１の横材２，２間に架け渡される足場板において、足場板本体８の前後各端部８ａ，８ｂに、足場用建枠１の横材２を挟んでその両側に架け渡される両足場板１０の対向端部８ａ，８ｂ間の隙間Ｓを塞ぐ複数の隙間ブロック９1 〜９3 が左右横方向に連なるように突設され、その少なくとも１つの隙間ブロック９3 に、前記横材２の上側部に対し係脱自在なフック部材１１が取り付けられると共に、前記横材２の下側部に対し係脱自在な浮き上がり防止用のロック部材１３が左右何れか一端の隙間ブロック９1 側に設けられ、足場板本体８の前後各端部８ａ，８ｂに左右横方向に連なるように突設される複数の隙間ブロック９1 〜９3 は、左右両端にある第１隙間ブロック９1 と、その中間にある第２及び第３隙間ブロック９2 ，９3 とからなり、各隙間ブロックは、足場用建枠１の横材２より上方に配置されるブロック本体部１４を有すると共に、第１隙間ブロック９1 はブロック本体部１４の下部に連設された横材２に係合可能な支持部片１６を有し、第２隙間ブロック９2 はブロック本体部１４の下方にフック部材突入用空間部１８を形成し、第３隙間ブロック９3 はブロック本体部１４の下方にフック部材取付用空間部２０を有することを特徴とする。
【０００７】
請求項２は、請求項１に記載の足場板において、足場板本体８の一端部側に突設された第２隙間ブロック９2 と前後方向に対向する足場板本体８の他端部側の位置には第３隙間ブロックが突設され、足場板本体８の一端部側の第３隙間ブロック９3 と対向する足場板本体８の他端部側の位置には第２隙間ブロック９2 が突設されていることを特徴とする。
【０００８】
請求項３は、請求項１又は２に記載の足場板において、足場板本体８の一端部８ａ側に設けられるフック部材１１と、足場板本体８の他端部８ｂ側に設けられるフック部材１１とは、足場板本体８の平面視においてその対角線上に位置にあることを特徴とする。
【０００９】
【発明の実施の形態】
以下に、本発明に係る足場板の実施形態について、図１〜図１２、及び従来例を示す図１３をも参照しながら詳細に説明する。図１は本発明の足場板１０の一部正面図、  図２の（Ａ）は同足場板１０の一部平面図、同図の（Ｂ）は（Ａ）のＸ−Ｘ線断面図である。また、図３は同足場板１０の一部裏面図、図４はフック部材が足場用建枠の横材２に係合する前の状態を示す斜視図、図５はフック部材が足場用建枠の横材２に係合した状態を示す斜視図である。
【００１０】
足場板１０は、図２及び図３から分かるように、両側一対のアルミニウム押し出し中空型材Ｍ１，Ｍ２を一体的に接合して形成される足場板本体８を有する。この足場板本体８の長手方向に沿った前後各端部８ａ，８ｂに、足場用建枠１の横材２を挟んでその両側に架け渡される両足場板１０，１０の対向端部間の隙間Ｓを塞ぐ複数の隙間ブロック９1 ，９2 ，９3 ，９4 が左右横方向（足場板本体８の長手方向と直交方向）に連なるように突設されている。ここで、隙間ブロック９1 を第１隙間ブロック、隙間ブロック９2 を第２隙間ブロック、隙間ブロック９3 を第３隙間ブロック、隙間ブロック９4 を第４隙間ブロックとし、また左右横方向に連なる一連の隙間ブロックを隙間ブロック群９とする。
【００１１】
図２〜図５に示すように、足場板本体８の前後各端部８ａ，８ｂには複数個（この実施形態では９個）の隙間ブロック９1 〜９4 が左右横方向に連なるように突設されている。そして、図４及び図５を参照して、足場板本体８の一端部８ａには、その左右両端に夫々第１隙間ブロック９1 が配設されると共に、左右両端の真ん中に第４隙間ブロック９4 が配設され、左端の第１隙間ブロック９1 の右側に第２隙間ブロック９2 、この第２隙間ブロック９2 の右側に第１隙間ブロック９1 、この第１隙間ブロック９1 と真ん中の第４隙間ブロック９4 との間に第３隙間ブロック９3 が夫々配設され、また右端の第１隙間ブロック９1 の左側に第３隙間ブロック９3 、この第３隙間ブロック９3 の左側に第１隙間ブロック９1 、この第１隙間ブロック９1 と真ん中の第４隙間ブロック９4 との間に第２隙間ブロック９2 が夫々配設されている。
【００１２】
足場板本体８の他端部８ｂには、図２及び図３に示すように、一端部８ａの第１隙間ブロック９1 及び第４隙間ブロック９4 と夫々足場板長手方向に対向する位置に、同じ第１隙間ブロック９1 及び第４隙間ブロック９4 が配設されるが、一端部８ａ側の第２隙間ブロック９2 と対向する位置には第３隙間ブロック９3 が、また一端部８ａの第３隙間ブロック９3 に対向する位置には第２隙間ブロック９2 が夫々配設されている。
【００１３】
そして、各第３隙間ブロック９3 には、足場用建枠１の横材２の上側部に対し係脱自在なフック部材１１が取り付けられ、また足場板本体８の一端部８ａの右端にある第１隙間ブロック９1 の外側面にブラケット１２が取り付けられて、このブラケット１２に、前記横材２の下側部に対し係脱自在なロック部材１３が設けられ、足場板本体８の他端部８ｂ側ではその左端にある第１隙間ブロック９1 の外側面にブラケット１２が取り付けられて、このブラケット１２に、前記横材２の下側部に対し係脱自在なロック部材１３が設けられている。この場合、足場板本体８の一端部８ａ側に設けられるロック部材１３と、足場板本体８の他端部８ｂ側に設けられるロック部材１３とは、図３から分かるように、足場板本体８の平面視においてその対角線上の位置にある。
【００１４】
図６〜図９は、上記した第１隙間ブロック９1 〜第４隙間ブロック９4 の夫々の構造を示す。これら第１隙間ブロック９1 〜第４隙間ブロック９4 は、夫々、足場板１０の使用時において足場用建枠１の横材２より上方に配置されるブロック本体部１４、及びブロック本体部１４の基端側にあって、足場板本体８の前後各端部８ａ，８ｂに嵌合されるコ字状取付枠部１５を有する。
【００１５】
各隙間ブロックについて説明すると、先ず、第１隙間ブロック９1 は、図６に示すように、ブロック本体部１４と、コ字状取付枠部１５と、これらブロック本体部１４とコ字状取付枠部１５の下端部から下向きに突出した断面略Ｖ字状の支持部片１６とからなり、支持部片１６の円弧状外側壁部１６ａが足場用建枠１の横材２の上側面部に係合するようになっており、そしてブロック本体部１４とコ字状取付枠部１５との間に支軸貫通用ポケット１７が一体形成されている。
【００１６】
第２隙間ブロック９2 は、図７に示すようにブロック本体部１４とコ字状取付枠部１５とからなるもので、ブロック本体部１４の下方には、足場板使用時に他の足場板１０の足場板本体８の他端部８ｂ側にある第３隙間ブロック９3 に取り付けられたフック部材１１を突入させるためのフック部材突入用空間部１８が形成される。
【００１７】
第３隙間ブロック９3 は、図８に示すように、コ字状取付枠部１５の下端部に断面略しの字状支持脚部１９を垂下連設すると共に、この支持脚部１９とブロック本体部１４との間にフック部材取付用空間部２０を形成し、このフック部材取付用空間部２０内にフック部材１１を取り付けるようになっている。
【００１８】
第４隙間ブロック９4 は、図９に示すように、ブロック本体部１４と、コ字状取付枠部１５と、断面略Ｖ字状の支持部片１６と、支軸貫通用ポケット１７とからなり、隙間ブロックの長さが第１隙間ブロック９1 より長く（２倍）形成されているだけで、第１隙間ブロック９1 と全く同じ断面構造を有するものである。尚、第１隙間ブロック９1 〜第４隙間ブロック９4 は、夫々アルミニウム押し出し型材によって形成される。
【００１９】
上記のような構造の第１隙間ブロック９1 〜第４隙間ブロック９4 は、足場板本体８の各端部８ａ，８ｂに、４個の第１隙間ブロック９1 と、２個の第２隙間ブロック９2 と、２個の第３隙間ブロック９3 と、１個の第４隙間ブロック９4 とを図２〜図４に示すような配列状態にして取り付けるわけであるが、その取付にあたって、各隙間ブロックは、そのコ字状取付枠部１５を足場板本体８の端部８ａ，８ｂに嵌合させ、その嵌合端部を足場板本体８に対しかしめることによって固定される。
【００２０】
こうして足場板本体８の各端部８ａ，８ｂに固定される第１隙間ブロック９1 〜第４隙間ブロック９4 には、第１隙間ブロック９1 及び第４隙間ブロック９4 に夫々設けてある支軸貫通用ポケット１７に亘って支軸２１を貫通させると共に、この支軸２１にフック部材１１の軸孔Ｏを挿通して、このフック部材１１の基端部１１ａを第３隙間ブロック９3 のフック部材取付用空間部２０に枢着する。
【００２１】
上記のように基端部１１ａが第３隙間ブロック９3 のフック部材取付用空間部２０に挿入されて支軸２１により枢着されたフック部材１１は、係合部１１ｂの先端部が図８の▲１▼及び図１０の▲１▼に示すように下向き状態にある非係合位置と、この非係合位置から上向きに回動して、係合部１１ｂが図８の▲２▼及び図１０の▲２▼に示すように足場用建枠１の横材２の上側部に係合する係合位置との間でのみ回動可能となっている。
【００２２】
足場用建枠１の横材２の下側部に係合するロック部材１３は、第１隙間ブロック９1 の外側面に取り付けられるブラケット１２に取り付けられている。このロック部材１３は、図１１に示すように、上下２か所に長孔２２，２３を有する円弧状部片からなるもので、両長孔２２，２３に夫々通されてブラケット１２に固着されたピン２４，２５によって、同図の実線で示すロック位置と仮想線で示す非ロック位置との間でスライド自在に取り付けられ、常時は自重によって実線図示のロック位置に保持されている。しかして、ロック部材１３がロック位置にある時、このロック部材１３と前記フック部材１１とが前記横材２の外周の半周以上を抱持する状態となって、足場板本体８の浮き上がりを防止するようになっている。尚、ブラケット１２は、足場板本体８の側端面に固着されている。
【００２３】
図２は、足場用建枠１の横材２に、一方の足場板１０の一端部８ａと、他方の足場板１０の対向端部８ｂを架け渡した状態を示し、この図２のＹ−Ｙ線拡大断面図を図１２に示す。尚、図２では、他方の足場板１０を仮想線で示している。足場板１０の一端部８ａを足場用建枠１の横材２に架け渡す際には、隙間ブロック群９の中の各第３隙間ブロック９3 に取り付けてあるフック部材１１を、図４及び図１０の▲１▼に示すように係合部１１ｂの先端部が下を向いた非ロック位置に手で回動してセットすると共に、隙間ブロック群９の端にあるロック部材１３を手で非ロック位置に引き上げておく。
【００２４】
こうしてフック部材１１を非ロック位置にセットし、ロック部材１３を非ロック位置に保持した状態で、足場板１０の足場板本体一端部８ａの隙間ブロック群９を足場用建枠１の横材２に接近させ、図１０の▲１▼に示すようにフック部材１１の先端部を横材２の上側部に当接させた状態から、足場板本体８の一端部８ａを押し下げると、フック部材１１は、その先端部が横材２に押し付けられることにより上向きに回動して、図１０の▲２▼に示すように横材２の上側面部に係合した係合位置となる。この後、図１１の仮想線で示すような非ロック位置に保持していたロック部材１３を図１１の実線で示すロック位置に引き下げることによって、一方の足場板１０の足場板本体８の一端部８ａ側を足場用建枠１の横材２に掛止固定することができる。他方の足場板１０の足場板本体８の対向端部８ｂ側も上記のようにして横材２に掛止固定すればよい。
【００２５】
図１２は、上記のようにして一方の足場板１０の足場板本体８の一端部８ａ
側が足場用建枠１の横材２に掛止されると共に、他方の足場板１０の足場板本体８の対向端部８ａ側が同横材２に掛止された状態を示しているが、この図から分かるように、両足場板１０，１０の対向端部間に形成される隙間Ｓが、両足場板１０，１０の対向端部８ａ，８ｂに夫々突設されている隙間ブロック群９，９によって殆ど塞がれた状態となる。従って、隙間Ｓからボルト・ナット等の落下を防止することができると共に、作業者が足場板１０を歩行中に隙間Ｓに足を引っ掛けて、転んでしまうおそれがなく、作業上の安全を確保することができる。
【００２６】
この場合、足場板１０，１０の対向端部間の隙間Ｓを塞ぐのに、特別な作業を要するものではなく、足場板１０の架け渡し作業を行う結果として、両足場板１０，１０の対向端部８ａ，８ｂに夫々突設されている隙間ブロック群９，９により隙間Ｓが塞がれるから、特別な作業を行う必要がなく、枠組足場の仮設作業を能率良く行うことができる。
【００２７】
また、上記隙間Ｓは、各足場板１０の隙間ブロック群９を形成する第１〜第４の隙間ブロック９1 〜９4 の夫々のブロック本体部１４によって塞がれるが、第１隙間ブロック９1 及び第４隙間ブロック９4 の夫々下部には支持部片１６が設けてあって、この支持部片１６が足場用建枠１の横材２に係合可能となっているから、足場板１０を横材２に架け渡した時に、足場板１０側の荷重は、第３隙間ブロック９3 に取り付けてあるフック部材１１だけでなく、このフック部材１１と、１隙間ブロック９1 及び第４隙間ブロック９4 の各支持部片１６を介して横材２に支持されるから、フック部材１１の荷重負担が少なくなって、フック部材１１の使用寿命を延ばすことができる。
【００２８】
また、上記のように第１隙間ブロック９1 が支持部片１６を有し、第２隙間ブロック９2 がブロック本体部１４の下方にフック部材突入用空間部１８を形成し、第３隙間ブロック９3 がブロック本体部１４の下方にフック部材取付用空間部２０を有するもので、これら第１隙間ブロック９1 〜第３隙間ブロック９3 の３種類の隙間ブロックを製作すれば、これら３種類の隙間ブロックの組合せによって、隙間ブロック群９を所望に形成することができる。尚、この実施形態では、第４隙間ブロック９4 を設けているが、この第４隙間ブロック９4 は、第１隙間ブロック９1 と長さが異なるだけであって、実質的に第１隙間ブロック９1 と同種類の隙間ブロックである。
【００２９】
また、足場板本体８の一端部８ａ側に突設された第２隙間ブロック９2 と前後方向に対向する足場板本体８の他端部８ｂ側の位置に、第３隙間ブロック９3 が突設され、足場板本体８の一端部側の第３隙間ブロック９3 と対向する足場板本体８の他端部８ｂ側の位置に、第２隙間ブロック９2 が突設されるようになっているから、足場用建枠１の横材２にその両側から足場板１０，１０を掛止する際に、一方の足場板１０の一端部８ａ側と他方の足場板１０の他端部８ｂ側とを対向させるようにすると、互いに対向する端部８ａ，８ｂ間において、第３隙間ブロック９3 に取り付けてあるフック部材１１を、この第３隙間ブロック９3 と対向する第２隙間ブロック９2 側に形成されるフック部材突入用空間部１８にそのまま突入させればよいから、横材２に対する各足場板１０のフック部材１１の係合操作を容易に行うことができる。
【００３０】
また、足場板本体８の一端部８ａ側に設けられるロック部材１３と、足場板本体８の他端部８ｂ側に設けられるロック部材１３とは、図３から分かるように、足場板本体８の平面視においてその対角線上に位置するようになっているから、足場用建枠１の横材２にその両側から足場板１０，１０を掛止する際に、両足場板１０，１０の互いに対向突出するロック部材１３，１３が同じ位置に重なることがなくなり、従って足場板１０の各端部８ａ，８ｂにはその左右方向全域を有効に使用して隙間ブロックを配設することができる。
【００３１】
尚、この実施形態では、足場板本体８の各端部８ａ，８ｂにロック部材１３を１個だけ設けているが、ロック部材１３は、足場板本体８の各端部８ａ，８ｂに２個設ける、つまり各端部８ａ，８ｂにおける左右両端に夫々設けるようにしてもよい。
【００３２】
【発明の効果】
請求項１に係る発明によれば、足場用建枠の横材を挟んでその両側に架け渡される両足場板の対向端部間の隙間を、足場板本体の前後各端部にその横方向に連なるように突設した複数の隙間ブロックによって塞ぐことができ、それによって上記隙間からボルト・ナット等の落下を防止することができると共に、作業者が足場板を歩行中に隙間に足を引っ掛けて、転んでしまうおそれがなく、作業上の安全を確保することができる。
【００３３】
この場合、足場板の対向端部間の隙間を塞ぐのに、特別な作業を要するものではなく、足場板の架け渡し作業を行う結果として、両足場板の対向端部に夫々突設された隙間ブロックにより隙間が塞がれるから、余分な作業が不要で、枠組足場の仮設作業を能率良く行うことができる。また、複数の隙間ブロックの少なくとも１つに取付けたフック部材を足場用建枠の横材の上側部に係合した状態で、左右何れか一端の隙間ブロック側に設けたロック部材を同横材の下側部に係合させることによって、足場板本体の浮き上がりを阻止して、足場板を安定に固定させることができる。
【００３４】
また、本発明によれば、両足場板の対向端部間の隙間は、足場板の端部に突設した各隙間ブロックのブロック本体部によって塞ぐことができると共に、第１隙間ブロックの下部には足場用建枠の横材に係合可能な支持部片が設けてあって、足場板側の荷重は、第３隙間ブロックに取り付けてあるフック部材と、第１隙間ブロックの支持部片とを介して横材に支持されるから、フック部材の荷重負担が少なくなって、フック部材の使用寿命を延ばすことができる。
【００３５】
また、第１隙間ブロックはブロック本体部の下部に支持部片を有し、第２隙間ブロックはブロック本体部の下方にフック部材突入用空間部を形成し、第３隙間ブロックはフック部材取付用空間部を有するもので、これら第１隙間ブロック〜第３隙間ブロックの３種類の隙間ブロックを製作すれば、これら３種類の隙間ブロックの組合せによって、隙間ブロック群を所望に形成することができる。
【００３６】
請求項２に係る発明によれば、足場用建枠の横材にその両側から足場板を掛止する際に、一方の足場板の一端部側と他方の足場板の他端部側とを対向させるようにすると、互いに対向する端部間において、第３隙間ブロックに取り付けてあるフック部材を、この第３隙間ブロックと対向する第２隙間ブロック側に形成されるフック部材突入用空間部にそのまま突入させればよいから、横材に対する各足場板のフック部材の係合操作が容易に行えると共に、横材への足場板の掛止作業が容易となる。また、この場合、第３隙間ブロックのフック部材が、この第３隙間ブロックに対向する第２隙間ブロックのフック部材突入用空間部に突入することによって、両足場板の互いの横方向のずれが防止される。
【００３７】
請求項３に係る発明によれば、足場用建枠の横材にその両側から足場板を掛止する際に、両足場板の互いに対向突出するロック部材が同じ位置に重なることがなく、従って足場板の各端部にはその左右方向全域を有効に使用して隙間ブロックを配設することができる。
【図面の簡単な説明】
【図１】  本発明の足場板の一部欠載正面図である。
【図２】  （Ａ）は同足場板の一部欠載平面図、（Ｂ）は（Ａ）のＸ−Ｘ線断面図である。
【図３】  同足場板の一部欠載裏面図である。
【図４】  フック部材が足場用建枠の横材に係合する前の状態を示す斜視図である。
【図５】  フック部材が足場用建枠の横材に係合した状態を示す斜視図である。
【図６】  隙間ブロック群のうち第１隙間ブロックを示す斜視図である。
【図７】  第２隙間ブロックを示す斜視図である。
【図８】  第３隙間ブロックの斜視図で、▲１▼はフック部材が非係合位置  にある状態、▲２▼は係合位置にある状態を示す。
【図９】  第４隙間ブロックを示す斜視図である。
【図１０】  第３隙間ブロックの断面側面図で、▲１▼はフック部材が非係合位置にある状態、▲２▼は係合位置にある状態を示す。
【図１１】  ロック部材を示す側面図である。
【図１２】  図２のＹ−Ｙ線拡大断面図である。
【図１３】  従来の足場板の使用状態を示す斜視図である。
【符号の説明】
１            足場用建枠
２            足場用建枠の横材
３            足場用建枠の縦材
８            足場板の足場板本体
８ａ          足場板本体の一端部
８ｂ          足場板本体の他端部
９            隙間ブロック群
９1           第１隙間ブロック
９2           第２隙間ブロック
９3           第３隙間ブロック
９4           第４隙間ブロック
１０          足場板
１１          フック部材
１２          ブラケット
１３          ロック部材
１４          ブロック本体部
１５          コ字状取付枠部
１６          支持部片
【図１】
0003869651.tif 000002
【図２】
0003869651.tif 000003
【図３】
0003869651.tif 000004
【図４】
0003869651.tif 000005
【図５】
0003869651.tif 000006
【図６】
0003869651.tif 000007
【図７】
0003869651.tif 000008
【図８】
0003869651.tif 000009
【図９】
0003869651.tif 000010
【図１０】
0003869651.tif 000011
【図１１】
0003869651.tif 000012
【図１２】
0003869651.tif 000013
【図１３】
0003869651.tif 000014